(57)【要約】【課題】サービス別の優先制御を行うための呼制御装置および規制有無判定方法を提供する。【解決手段】信号処理部４１は、加入者端末５から信号が送信されたなら（Ｓ１）、対応するサービスのサービス識別情報と信号種識別情報と当該加入者端末５のユーザである加入者の加入者優先度とを取得し、規制判定部４２に対して、サービス識別情報と信号種識別情報と加入者優先度を送信し、規制の有無の判定を依頼する（Ｓ３）。規制判定部４２は、規制レベル記憶部４３に記憶された規制レベルを取得し（Ｓ５）、規制情報記憶部４４から、サービス識別情報に対応づけられたサービス優先度を取得し（Ｓ７）、規制情報記憶部４４から、サービス優先度と信号種識別情報と加入者優先度と規制レベルとに対応づけられた規制情報を取得し（Ｓ９）、取得した規制情報に基づいて信号に対応する処理に対する規制の有無を判定する。【選択図】図１
2010258523.tif 000002
【特許請求の範囲】
【請求項１】
送信された信号に対応するサービスを提供するための処理を行う呼制御装置であって、  複数のサービスのそれぞれを示すサービス識別情報に対して該当のサービスの処理に対する規制の有無を判定するための規制情報が対応づけられた規制情報記憶部と、
送信された信号に対応するサービスのサービス識別情報を取得する信号処理部と、
前記規制情報記憶部において当該取得されたサービス識別情報に対応づけられた規制情報に基づいて該当のサービスの処理に対する規制の有無を判定する規制判定部と
を備えることを特徴とする呼制御装置。
【請求項２】
送信された信号に対応するサービスを提供するための処理を行う呼制御装置であって、  複数のサービスのそれぞれを示すサービス識別情報と該当のサービスに対応する信号の種類を示す信号種識別情報とに対して該当の処理に対する規制の有無を判定するための規制情報が対応づけられた規制情報記憶部と、
送信された信号に対応するサービスのサービス識別情報と当該信号の信号種識別情報とを取得する信号処理部と、
前記規制情報記憶部において当該取得されたサービス識別情報と当該信号種識別情報とに対応づけられた規制情報に基づいて該当の処理に対する規制の有無を判定する規制判定部と
を備えることを特徴とする呼制御装置。
【請求項３】
送信された信号に対応するサービスを提供するための処理を行う呼制御装置であって、  複数のサービスのそれぞれを示すサービス識別情報と該当のサービスをうける加入者が当該サービスを優先的にうける程度を示す加入者優先度とに対して該当の処理に対する規制の有無を判定するための規制情報が対応づけられた規制情報記憶部と、
送信された信号に対応するサービスのサービス識別情報と該当のサービスをうける加入者の加入者優先度とを取得する信号処理部と、
前記規制情報記憶部において当該取得されたサービス識別情報と当該加入者優先度とに対応づけられた規制情報に基づいて該当の処理に対する規制の有無を判定する規制判定部と
を備えることを特徴とする呼制御装置。
【請求項４】
送信された信号に対応するサービスを提供するための処理を行う呼制御装置であって、  複数のサービスのそれぞれを示すサービス識別情報に対して該当のサービスを優先的に提供する程度を示すサービス優先度が対応づけられたサービス優先度記憶部と、
当該各サービス優先度と該当のサービスの処理に対する規制の有無を判定するための規制情報が対応づけられた規制情報記憶部と、
送信された信号に対応するサービスのサービス識別情報を取得する信号処理部と、
前記規制情報記憶部において当該取得されたサービス識別情報に対応づけられた規制情報に基づいて該当のサービスの処理に対する規制の有無を判定する規制判定部と
を備えることを特徴とする呼制御装置。
【請求項５】
送信された信号に対応するサービスを提供するための処理を行う呼制御装置であって、  複数のサービスのそれぞれを示すサービス識別情報と当該呼制御装置に対して一律に設定される規制レベルとに対して該当のサービスの処理に対する規制の有無を判定するための規制情報が対応づけられた規制情報記憶部と、
送信された信号に対応するサービスのサービス識別情報を取得する信号処理部と、
当該呼制御装置に対して一律に設定された規制レベルを取得し、前記規制情報記憶部において当該取得されたサービス識別情報と当該規制レベルとに対応づけられた規制情報に基づいて該当の処理に対する規制の有無を判定する規制判定部と
を備えることを特徴とする呼制御装置。
【請求項６】
送信された信号に対応するサービスを提供するための処理を行う呼制御装置が行う規制有無判定方法であって、
前記呼制御装置は、
複数のサービスのそれぞれを示すサービス識別情報に対して該当のサービスの処理に対する規制の有無を判定するための規制情報が対応づけられた規制情報記憶部を備え、
前記規制有無判定方法は、
前記呼制御装置の信号処理部が、送信された信号に対応するサービスのサービス識別情報を取得するステップと、
前記呼制御装置の規制判定部が、前記規制情報記憶部において当該取得されたサービス識別情報に対応づけられた規制情報に基づいて該当のサービスの処理に対する規制の有無を判定するステップと
を含むことを特徴とする規制有無判定方法。
【請求項７】
送信された信号に対応するサービスを提供するための処理を行う呼制御装置が行う規制有無判定方法であって、
前記呼制御装置は、複数のサービスのそれぞれを示すサービス識別情報と該当のサービスに対応する信号の種類を示す信号種識別情報とに対して該当の処理に対する規制の有無を判定するための規制情報が対応づけられた規制情報記憶部を備え、
前記規制有無判定方法は、
前記呼制御装置の信号処理部が、送信された信号に対応するサービスのサービス識別情報と当該信号の信号種識別情報とを取得するステップと、
前記呼制御装置の規制判定部が、前記規制情報記憶部において当該取得されたサービス識別情報と当該信号種識別情報とに対応づけられた規制情報に基づいて該当の処理に対する規制の有無を判定するステップと
を含むことを特徴とする規制有無判定方法。
【請求項８】
送信された信号に対応するサービスを提供するための処理を行う呼制御装置が行う規制有無判定方法であって、
前記呼制御装置は、複数のサービスのそれぞれを示すサービス識別情報と該当のサービスをうける加入者が当該サービスを優先的にうける程度を示す加入者優先度とに対して該当の処理に対する規制の有無を判定するための規制情報が対応づけられた規制情報記憶部を備え、
前記規制有無判定方法は、
前記呼制御装置の信号処理部が、送信された信号に対応するサービスのサービス識別情報と該当のサービスをうける加入者の加入者優先度とを取得するステップと、
前記呼制御装置の規制判定部が、前記規制情報記憶部において当該取得されたサービス識別情報と当該加入者優先度とに対応づけられた規制情報に基づいて該当の処理に対する規制の有無を判定するステップと
を含むことを特徴とする規制有無判定方法。
【請求項９】
送信された信号に対応するサービスを提供するための処理を行う呼制御装置が行う規制有無判定方法であって、
前記呼制御装置は、複数のサービスのそれぞれを示すサービス識別情報に対して該当のサービスを優先的に提供する程度を示すサービス優先度が対応づけられたサービス優先度記憶部と、
当該各サービス優先度と該当のサービスの処理に対する規制の有無を判定するための規制情報が対応づけられた規制情報記憶部とを備え、
前記規制有無判定方法は、
前記呼制御装置の信号処理部が、送信された信号に対応するサービスのサービス識別情報を取得するステップと、
前記呼制御装置の規制判定部が、前記規制情報記憶部において当該取得されたサービス識別情報に対応づけられた規制情報に基づいて該当のサービスの処理に対する規制の有無を判定するステップと
を含むことを特徴とする規制有無判定方法。
【請求項１０】
送信された信号に対応するサービスを提供するための処理を行う呼制御装置が行う規制有無判定方法であって、
前記呼制御装置は、複数のサービスのそれぞれを示すサービス識別情報と当該呼制御装置に対して一律に設定される規制レベルとに対して該当のサービスの処理に対する規制の有無を判定するための規制情報が対応づけられた規制情報記憶部を備え、
前記規制有無判定方法は、
前記呼制御装置の信号処理部が、送信された信号に対応するサービスのサービス識別情報を取得するステップと、
前記呼制御装置の規制判定部が、当該呼制御装置に対して一律に設定された規制レベルを取得し、前記規制情報記憶部において当該取得されたサービス識別情報と当該規制レベルとに対応づけられた規制情報に基づいて該当の処理に対する規制の有無を判定するステップと
を含むことを特徴とする規制有無判定方法。
【発明の詳細な説明】
【技術分野】
【０００１】
本発明は、サービス別の優先制御を行うための呼制御装置および規制有無判定方法に関するものである。
【背景技術】
【０００２】
従来の呼制御装置では、該装置の負荷が予め設定されたしきい値を超えた場合、つまり、輻輳が生じている場合、信号を送信してくる加入者端末のユーザである加入者に割り当てられた加入者優先度によっては規制を行う。例えば、規制を行う場合は、予め定められた単位時間あたりの信号数までの信号については処理（例えば、信号の転送）を行い、超過分の信号については処理を行わないようになっている。これにより、輻輳が生じている呼制御装置の負荷を低減することができる。
【先行技術文献】
【特許文献】
【０００３】
【特許文献１】特願平５−２２４０６号公報
【発明の概要】
【発明が解決しようとする課題】
【０００４】
しかし、呼制御装置によって加入者端末を介して加入者に提供されるサービスとしては、優先的に提供されるべきサービスがあり、前述の規制により、かかるサービスが優先的に提供されないといった問題を生じることがある。
【０００５】
本発明は、上記の課題に鑑みてなされたものであり、その目的とするところは、サービス別の優先制御を行うための呼制御装置および規制有無判定方法を提供することにある。
【課題を解決するための手段】
【０００６】
上記の課題を解決するために、第１の本発明は、送信された信号に対応するサービスを提供するための処理を行う呼制御装置であって、複数のサービスのそれぞれを示すサービス識別情報に対して該当のサービスの処理に対する規制の有無を判定するための規制情報が対応づけられた規制情報記憶部と、送信された信号に対応するサービスのサービス識別情報を取得する信号処理部と、前記規制情報記憶部において当該取得されたサービス識別情報に対応づけられた規制情報に基づいて該当のサービスの処理に対する規制の有無を判定する規制判定部とを備えることを特徴とする呼制御装置をもって解決手段とする。
【０００７】
第２の本発明は、送信された信号に対応するサービスを提供するための処理を行う呼制御装置であって、複数のサービスのそれぞれを示すサービス識別情報と該当のサービスに対応する信号の種類を示す信号種識別情報とに対して該当の処理に対する規制の有無を判定するための規制情報が対応づけられた規制情報記憶部と、送信された信号に対応するサービスのサービス識別情報と当該信号の信号種識別情報とを取得する信号処理部と、前記規制情報記憶部において当該取得されたサービス識別情報と当該信号種識別情報とに対応づけられた規制情報に基づいて該当の処理に対する規制の有無を判定する規制判定部とを備えることを特徴とする呼制御装置をもって解決手段とする。
【０００８】
第３の本発明は、送信された信号に対応するサービスを提供するための処理を行う呼制御装置であって、複数のサービスのそれぞれを示すサービス識別情報と該当のサービスをうける加入者が当該サービスを優先的にうける程度を示す加入者優先度とに対して該当の処理に対する規制の有無を判定するための規制情報が対応づけられた規制情報記憶部と、送信された信号に対応するサービスのサービス識別情報と該当のサービスをうける加入者の加入者優先度とを取得する信号処理部と、前記規制情報記憶部において当該取得されたサービス識別情報と当該加入者優先度とに対応づけられた規制情報に基づいて該当の処理に対する規制の有無を判定する規制判定部とを備えることを特徴とする呼制御装置をもって解決手段とする。
【０００９】
第４の本発明は、送信された信号に対応するサービスを提供するための処理を行う呼制御装置であって、複数のサービスのそれぞれを示すサービス識別情報に対して該当のサービスを優先的に提供する程度を示すサービス優先度が対応づけられたサービス優先度記憶部と、当該各サービス優先度と該当のサービスの処理に対する規制の有無を判定するための規制情報が対応づけられた規制情報記憶部と、送信された信号に対応するサービスのサービス識別情報を取得する信号処理部と、前記規制情報記憶部において当該取得されたサービス識別情報に対応づけられた規制情報に基づいて該当のサービスの処理に対する規制の有無を判定する規制判定部とを備えることを特徴とする呼制御装置をもって解決手段とする。
【００１０】
第５の本発明は、送信された信号に対応するサービスを提供するための処理を行う呼制御装置であって、複数のサービスのそれぞれを示すサービス識別情報と当該呼制御装置に対して一律に設定される規制レベルとに対して該当のサービスの処理に対する規制の有無を判定するための規制情報が対応づけられた規制情報記憶部と、送信された信号に対応するサービスのサービス識別情報を取得する信号処理部と、当該呼制御装置に対して一律に設定された規制レベルを取得し、前記規制情報記憶部において当該取得されたサービス識別情報と当該規制レベルとに対応づけられた規制情報に基づいて該当の処理に対する規制の有無を判定する規制判定部とを備えることを特徴とする呼制御装置をもって解決手段とする。
【００１１】
第６の本発明は、送信された信号に対応するサービスを提供するための処理を行う呼制御装置が行う規制有無判定方法であって、前記呼制御装置は、複数のサービスのそれぞれを示すサービス識別情報に対して該当のサービスの処理に対する規制の有無を判定するための規制情報が対応づけられた規制情報記憶部を備え、前記規制有無判定方法は、前記呼制御装置の信号処理部が、送信された信号に対応するサービスのサービス識別情報を取得するステップと、前記呼制御装置の規制判定部が、前記規制情報記憶部において当該取得されたサービス識別情報に対応づけられた規制情報に基づいて該当のサービスの処理に対する規制の有無を判定するステップとを含むことを特徴とする規制有無判定方法をもって解決手段とする。
【００１２】
第７の本発明は、送信された信号に対応するサービスを提供するための処理を行う呼制御装置が行う規制有無判定方法であって、前記呼制御装置は、複数のサービスのそれぞれを示すサービス識別情報と該当のサービスに対応する信号の種類を示す信号種識別情報とに対して該当の処理に対する規制の有無を判定するための規制情報が対応づけられた規制情報記憶部を備え、前記規制有無判定方法は、前記呼制御装置の信号処理部が、送信された信号に対応するサービスのサービス識別情報と当該信号の信号種識別情報とを取得するステップと、前記呼制御装置の規制判定部が、前記規制情報記憶部において当該取得されたサービス識別情報と当該信号種識別情報とに対応づけられた規制情報に基づいて該当の処理に対する規制の有無を判定するステップとを含むることを特徴とする規制有無判定方法をもって解決手段とする。
【００１３】
第８の本発明は、送信された信号に対応するサービスを提供するための処理を行う呼制御装置が行う規制有無判定方法であって、前記呼制御装置は、複数のサービスのそれぞれを示すサービス識別情報と該当のサービスをうける加入者が当該サービスを優先的にうける程度を示す加入者優先度とに対して該当の処理に対する規制の有無を判定するための規制情報が対応づけられた規制情報記憶部を備え、前記規制有無判定方法は、前記呼制御装置の信号処理部が、送信された信号に対応するサービスのサービス識別情報と該当のサービスをうける加入者の加入者優先度とを取得するステップと、前記呼制御装置の規制判定部が、前記規制情報記憶部において当該取得されたサービス識別情報と当該加入者優先度とに対応づけられた規制情報に基づいて該当の処理に対する規制の有無を判定するステップとを含むことを特徴とする規制有無判定方法をもって解決手段とする。
【００１４】
第９の本発明は、送信された信号に対応するサービスを提供するための処理を行う呼制御装置が行う規制有無判定方法であって、前記呼制御装置は、複数のサービスのそれぞれを示すサービス識別情報に対して該当のサービスを優先的に提供する程度を示すサービス優先度が対応づけられたサービス優先度記憶部と、当該各サービス優先度と該当のサービスの処理に対する規制の有無を判定するための規制情報が対応づけられた規制情報記憶部とを備え、前記規制有無判定方法は、前記呼制御装置の信号処理部が、送信された信号に対応するサービスのサービス識別情報を取得するステップと、前記呼制御装置の規制判定部が、前記規制情報記憶部において当該取得されたサービス識別情報に対応づけられた規制情報に基づいて該当のサービスの処理に対する規制の有無を判定するステップとを含むことを特徴とする規制有無判定方法をもって解決手段とする。
【００１５】
第１０の本発明は、送信された信号に対応するサービスを提供するための処理を行う呼制御装置が行う規制有無判定方法であって、前記呼制御装置は、複数のサービスのそれぞれを示すサービス識別情報と当該呼制御装置に対して一律に設定される規制レベルとに対して該当のサービスの処理に対する規制の有無を判定するための規制情報が対応づけられた規制情報記憶部を備え、前記規制有無判定方法は、前記呼制御装置の信号処理部が、送信された信号に対応するサービスのサービス識別情報を取得するステップと、前記呼制御装置の規制判定部が、当該呼制御装置に対して一律に設定された規制レベルを取得し、前記規制情報記憶部において当該取得されたサービス識別情報と当該規制レベルとに対応づけられた規制情報に基づいて該当の処理に対する規制の有無を判定するステップとを含むことを特徴とする規制有無判定方法をもって解決手段とする。
【発明の効果】
【００１６】
本発明によれば、サービス別の優先制御を行うことができ、特定のサービスを優先的に加入者に提供することが可能となる。
【図面の簡単な説明】
【００１７】
【図１】本実施の形態に係る通信システムの接続図である。
【図２】各加入者呼制御装置４の構成を示すブロック図である。
【図３】サービス優先度記憶部４４１と規制情報記憶部４４２の構成を示す図である。
【発明を実施するための形態】
【００１８】
以下、本発明に係る呼制御装置および規制有無判定方法の実施の形態を説明する。
【００１９】
図１は、本実施の形態に係る通信システムの接続図である。
【００２０】
トラヒック監視制御システム１は通信回線を介して管理システム２に接続される。管理システム２は２つの中継呼制御装置３に接続される。各中継呼制御装置３は、対応する加入者呼制御装置４に接続される。各加入者呼制御装置４は互いに接続される。また、各加入者呼制御装置４は、いずれの中継呼制御装置３にも接続されない加入者呼制御装置４に接続されることもある。各加入者呼制御装置４は、１以上の加入者端末５に接続される。各中継呼制御装置３は、公衆交換電話網６に接続される。加入者端末５のユーザは加入者という。なお、通信システムにおいては、図示した２つの中継呼制御装置３より多い中継呼制御装置３があってもよい。また、加入者呼制御装置４や加入者端末５についても同様であり、図示の数より多い加入者呼制御装置４や加入者端末５があってもよい。
【００２１】
トラヒック監視制御システム１は、通信システムのトラヒックを監視および制御する装置である。管理システム２は、各中継呼制御装置３からトラヒックの情報を受信し、トラヒック監視制御システム１に転送する。中継呼制御装置３は、公衆交換電話網６の共通線信号を終端し、また、加入者呼制御装置４との間で信号の送受信を行う。加入者呼制御装置４は、ＳＩＰプロキシサーバ機能、ＳＩＰロケーションサーバ機能、ＳＩＰレジスタサーバ機能を有し、ＩＰ電話機等を制御する。
【００２２】
図１に示す通信システムでは、通常の品質の電話サービスと、高品質の電話サービスと、テレビ電話のサービスと、ビデオオンデマンドのサービスが加入者端末５に提供される。サービスの提供とは、加入者端末５を利用して、加入者が通話やテレビ会議やビデオ視聴などをできるようにすることである。
【００２３】
その際、加入者端末５は、加入者の操作や加入者呼制御装置４から送信される信号に呼応して、加入者呼制御装置４に信号を送信する。加入者呼制御装置４は、当該信号に対する処理を行う。例えば、加入者呼制御装置４は、信号を中継呼制御装置３に転送する。中継呼制御装置３も同様に、信号を処理する。例えば、中継呼制御装置３は、信号を公衆交換電話網６や他の中継呼制御装置３に転送する。また、中継呼制御装置３は、公衆交換電話網６や他の中継呼制御装置３からの信号を加入者呼制御装置４に転送し、加入者呼制御装置４は、信号を加入者端末５に送信する。
【００２４】
図２は、各加入者呼制御装置４の構成を示すブロック図である。
【００２５】
加入者呼制御装置４は、加入者端末５との間で信号を送受信する信号処理部４１と、信号が受信された際に前述の信号送信等の処理がなされないようにする規制の有無を判定する規制判定部４２と、規制の程度を示す規制レベルが記憶される規制レベル記憶部４３と、規制の有無を判定するための規制情報が記憶される規制情報記憶部４４とを備える。
【００２６】
規制レベル記憶部４３には、前述の信号送信等の処理がなされないように規制する程度を示す規制レベルが記憶される。規制レベルは、規制の程度の小さい方から、「一次」、「二次」、「三次」というように表される。
【００２７】
規制情報記憶部４４は、図３（ａ）に示すサービス優先度記憶部４４１と、図３（ｂ）に示す規制情報記憶部４４２とを備える。
【００２８】
図３（ａ）に示すように、サービス優先度記憶部４４１には、前述の複数のサービスのそれぞれを示すサービス識別情報に対して該当のサービスを優先的に提供する程度を示すサービス優先度が対応づけて記憶される。サービス優先度は、程度の小さい方から、「１」、「２」、…というように数値で表される。
【００２９】
図３（ｂ）において、○印は、可能な限り処理を行うことつまり規制なしを示す情報である。一方、×印は、Ｘ秒あたりｎ個の信号まで許容して処理を行うことつまり規制ありを示す情報（ただし、秒数Ｘ、個数ｎは予め設定される）である。また、このように、×印または○印となりうる情報（１つの升目の情報）を「規制情報」という。つまり、規制情報は、規制の有無を判定するためのものである。
【００３０】
規制情報記憶部４４２には、各サービス優先度に対して該当のサービスの処理に対する規制情報（規制の有無を判定するための規制情報）が対応づけられて記憶される。
【００３１】
つまり、規制情報記憶部４４には、各サービス識別情報に対して規制情報が対応づけられていることになる。
【００３２】
また、図１に示した加入者端末５のユーザである加入者には、サービスを優先的にうける程度を示す加入者優先度が割り当てられている。加入者優先度は、程度の小さい方から、「ＧＮ」、「ＵＲ」、「ＵＲ１」というように表される。
【００３３】
図３（ｂ）に示すように、規制情報記憶部４４２においては、各加入者優先度に対しても規制情報が対応づけられている。つまり、規制情報記憶部４４２においては、サービス識別情報と加入者優先度とに対して規制情報が対応づけられている。
【００３４】
また、加入者呼制御装置４が受信する信号には、その信号の種類を示す信号種識別情報が割り当てられている。信号種識別情報としては、「一般ＩＮＶ」、「緊急ＩＮＶ」、「ＲＥＧＩＳＴ」、「ＭＥＳＳＡＧ」などがある。
【００３５】
図３（ｂ）に示すように、規制情報記憶部４４２においては、各信号種識別情報に対しても規制情報が対応づけられている。つまり、規制情報記憶部４４２においては、サービス識別情報と信号種識別情報とに対して規制情報が対応づけられている。
【００３６】
また、図３（ｂ）に示すように、規制情報記憶部４４２においては、各規制レベルに対しても規制情報が対応づけられている。つまり、規制情報記憶部４４２においては、サービス識別情報と規制レベルとに対して規制情報が対応づけられている。
【００３７】
図２において、信号処理部４１は、加入者端末５（以下、単に加入者端末５という）から信号（以下、単に「信号」という）が送信されたなら（Ｓ１）、信号に対応するサービスのサービス識別情報と当該信号の信号種識別情報と当該加入者端末５のユーザである加入者の加入者優先度とを取得する。信号処理部４１は、例えば、信号の内容により、これらを取得する。信号処理部４１は、規制判定部４２に対して、取得したサービス識別情報と信号種識別情報と加入者優先度を送信し、規制の有無の判定を依頼する（Ｓ３）。
【００３８】
規制判定部４２は、信号処理部４１から規制の有無の判定を依頼されたなら、規制レベル記憶部４３に記憶された規制レベルを取得し（Ｓ５）、規制情報記憶部４４のサービス優先度記憶部４４１から、送信されたサービス識別情報に対応づけられたサービス優先度を取得する（Ｓ７）。また、規制判定部４２は、規制情報記憶部４４２から、取得したサービス優先度と送信された信号種識別情報と加入者優先度と取得した規制レベルとに対応づけられた規制情報を取得し（Ｓ９）、取得した規制情報に基づいて該当の処理（信号に対応する処理）に対する規制の有無を判定する。
【００３９】
図３（ｂ）の例では、規制判定部４２は、例えば、サービス優先度「１」と信号種識別情報「一般ＩＮＶ」と加入者優先度「ＵＲ」と規制レベル「三次」とに対応づけられた規制情報（×印）が規制ありを示すものなので、規制ありという判定結果を得て、その判定結果を信号処理部４１に送信する（図２：Ｓ１１）。
【００４０】
信号処理部４１は、規制ありという判定結果が送信され、遡ったＸ秒の間にｎ個の信号に関する処理を既に行っているなら、加入者端末５に対し、処理を行えない旨の信号を送信する（Ｓ１３）。一方、規制ありという判定結果が送信されたとしても、遡ったＸ秒の間にｎ個の信号に関する処理を未だ行っていないなら、または、規制なしという判定結果が送信されたなら、ステップＳ１で送信された信号に対応する処理を行う。
【００４１】
なお、図１の通信システムでは、中継呼制御装置３にも同様の機能が具備されている。ただし、中継呼制御装置３の場合、公衆交換電話網６からＩＡＭ信号（通常の品質の電話サービスにおける一般呼という種類の信号）を受信する場合があり、規制ありという判定結果が得られて、その信号に対応する処理を行えない場合は、加入者端末５に切断信号（ＲＥＬ）を送信する。
【００４２】
以上説明したように、本実施の形態の加入者呼制御装置４や中継呼制御装置３によれば、サービス識別情報に対応づけられた規制情報に基づいて該当のサービスの処理に対する規制の有無を判定するので、例えば、優先的に提供すべきサービスの場合には、規制をしないで処理を行い、そうでないサービスの場合には、規制をして処理を行わないようにし、もって、前者のサービスを優先的に提供することが可能となる。
【００４３】
なお、本実施の形態は、一例であり、例えば、規制レベル、加入者優先度、サービス優先度、信号種識別情報の中の１つ以上を用いないようにしてもよい。サービス優先度を用いない場合は、サービス優先度記憶部４４１をなくし、規制情報記憶部４４２においては、サービス優先度をサービス識別情報に置き換えればよい。
【００４４】
また、テレビ電話のような双方向のサービスはいずれも同一のサービスとし、ビデオオンデマンドのサービスのような単方向のサービスはいずれも同一のサービスとし、そのようにサービスを２つに分類してもよい。また、通信に必要な帯域値の違いによりサービスを分類してもよい。
【００４５】
例えば、信号（ＳＤＰ）のｍ＝行によって、音声、ビデオ、データ等の種別を特定でき、その種別でサービスを分類してもよい。また、ａ＝行によって、双方向、送信のみ、受信のみ、送受信なし等の方向性を特定でき、その方向性でサービスを分類してもよい。また、ｂ＝行によって、帯域値を特定でき、その帯域値によりサービスを分類してもよい。
【符号の説明】
【００４６】
１…トラヒック監視制御システム
２…管理システム
３…中継呼制御装置
４…加入者呼制御装置
５…加入者端末
６…公衆交換電話網
４１…信号処理部
４２…規制判定部
４３…規制レベル記憶部
４４…規制情報記憶部
４４１…サービス優先度記憶部
４４２…規制情報記憶部
【図１】
2010258523.tif 000003
【図２】
2010258523.tif 000004
【図３】
2010258523.tif 000005